(57)【要約】【課題】ブラシをスムーズに摺動できる小型のモータを提供する。【解決手段】内周面１１ａにマグネット１２を固着すると共に、アーマチュア１３のアーマチュア軸１４を回転自在に収納をした筒状のヨーク１１と、アーマチュア軸１４に取り付けられたコンミュテータ１５に臨むように配置された四角筒状で円弧状のブラシホルダ１７と、このブラシホルダ１７に出没自在に収納された四角棒状で円弧状のブラシ１８と、この四角棒状で円弧状のブラシ１８の背面１８ｂを押圧付勢して該ブラシ１８の正面１８ａをコンミュテータ１５に接触させるバネ部材１９とを備えたモータ１０において、四角棒状で円弧状のブラシ１８に円弧状の凹部１８ｄを設け、四角筒状で円弧状のブラシホルダ１７に円弧状の凸部１７ｄを設け、このブラシホルダ１７の円弧状の凸部１７ｄに沿ってブラシ１８の円弧状の凹部１８ｄを摺動自在にした。【選択図】図１
2010035272.tif 000002
【特許請求の範囲】
【請求項１】
アーマチュアのアーマチュア軸を回転自在に収納をした筒状のハウジングと、前記ハウジングに取り付けられたホルダステーと、前記ホルダステーに形成され、前記アーマチュア軸に取り付けられたコンミュテータに臨むように配置された筒状で円弧状のブラシホルダと、このブラシホルダに出没自在に収納された棒状で円弧状のブラシと、この棒状で円弧状のブラシの背面を押圧付勢して該ブラシの正面を前記コンミュテータに接触させるバネ部材とを備えたモータにおいて、
前記棒状で円弧状のブラシに円弧状の凹部を設け、かつ、前記筒状で円弧状のブラシホルダに円弧状の凸部を設け、このブラシホルダの円弧状の凸部に沿って前記ブラシの円弧状の凹部を摺動自在にしたことを特徴とするモータ。
【請求項２】
請求項１記載のモータであって、
前記棒状で円弧状のブラシの底面の中央にＶ字溝状で円弧状の凹部を設け、かつ、前記筒状で円弧状のブラシホルダの底片部の中央にＶ字山形で円弧状の凸部を設け、このブラシホルダのＶ字山形で円弧状の凸部に沿って前記ブラシのＶ字溝状で円弧状の凹部を摺動自在にしたことを特徴とするモータ。
【発明の詳細な説明】
【技術分野】
【０００１】
本発明は、ブラシを有するモータに関する。
【背景技術】
【０００２】
従来、ヨーク内のアーマチュアに外部電源からの電流を供給するためにブラシが用いられる直流モータとして、図５に示すものがある（例えば、特許文献１参照。）。
【０００３】
この直流モータ１は、図５に示すように、内周面２ａに図示しないマグネットを固着すると共に、アーマチュアのアーマチュア軸３を軸受５を介して回転自在に収納をした円筒状のモータハウジング（ヨーク）２と、アーマチュア軸３に取り付けられたコンミュテータ４に臨むように配置された四角筒状でＣ字状のブラシホルダ６と、このブラシホルダ６に出没自在に収納された四角棒状でＣ字状のブラシ７と、この四角棒状でＣ字状のブラシ７の背面を押圧付勢して該ブラシ７の正面をコンミュテータ４に接触させるコイルスプリング９とを備えている。
【０００４】
このブラシ７にはピグテール８を接続してあり、このピグテール８を介して外部電源から電力をブラシ７側に供給するようになっている。
【０００５】
【特許文献１】特開２００６−１４９１５４号公報（図２）
【発明の開示】
【発明が解決しようとする課題】
【０００６】
しかしながら、前記従来のモータ１では、コイルスプリング９によって四角棒状でＣ字状のブラシ７を押し出す際に、四角棒状でＣ字状のブラシ７が四角筒状でＣ字状のブラシホルダ６の両側壁に当たってしまうため、ブラシ７をスムーズに摺動させて押し出すことができなかった。また、ブラシホルダ６及びブラシ７がそれぞれＣ字状に形成してあるため、モータ１全体が大型化した。
【０００７】
そこで、本発明は、前記した課題を解決すべくなされたものであり、ブラシをスムーズに摺動させることができる小型のモータを提供することを目的とする。
【課題を解決するための手段】
【０００８】
請求項１の発明は、アーマチュアのアーマチュア軸を回転自在に収納をした筒状のハウジングと、前記ハウジングに取り付けられたホルダステーと、前記ホルダステーに形成され、前記アーマチュア軸に取り付けられたコンミュテータに臨むように配置された筒状で円弧状のブラシホルダと、このブラシホルダに出没自在に収納された棒状で円弧状のブラシと、この棒状で円弧状のブラシの背面を押圧付勢して該ブラシの正面を前記コンミュテータに接触させるバネ部材とを備えたモータにおいて、前記棒状で円弧状のブラシに円弧状の凹部を設け、かつ、前記筒状で円弧状のブラシホルダに円弧状の凸部を設け、このブラシホルダの円弧状の凸部に沿って前記ブラシの円弧状の凹部を摺動自在にしたことを特徴とする。
【０００９】
請求項２の発明は、請求項１記載のモータであって、前記棒状で円弧状のブラシの底面の中央にＶ字溝状で円弧状の凹部を設け、かつ、前記筒状で円弧状のブラシホルダの底片部の中央にＶ字山形で円弧状の凸部を設け、このブラシホルダのＶ字山形で円弧状の凸部に沿って前記ブラシのＶ字溝状で円弧状の凹部を摺動自在にしたことを特徴とする。
【発明の効果】
【００１０】
以上説明したように、請求項１の発明によれば、棒状で円弧状のブラシに円弧状の凹部を設け、かつ、筒状で円弧状のブラシホルダに円弧状の凸部を設け、このブラシホルダの円弧状の凸部に沿ってブラシの円弧状の凹部を摺動自在にしたことにより、バネ部材によってブラシの正面をコンミュテータに接触させる際に、ブラシホルダの円弧状の凸部に沿ってブラシの円弧状の凹部が摺動するため、棒状で円弧状のブラシが四角筒状で円弧状のブラシホルダの壁部に当たるのを防ぎ、スムーズにブラシを押し出すことができる。
【００１１】
請求項２の発明によれば、棒状で円弧状のブラシの底面の中央にＶ字溝状で円弧状の凹部を設け、かつ、筒状で円弧状のブラシホルダの底片部の中央にＶ字山形で円弧状の凸部を設け、このブラシホルダのＶ字山形で円弧状の凸部に沿ってブラシのＶ字溝状で円弧状の凹部を摺動自在にしたことにより、バネ部材によってブラシの正面をコンミュテータに接触させる際に、ブラシホルダのＶ字山形で円弧状の凸部に沿ってブラシのＶ字溝状で円弧状の凹部が摺動するため、棒状で円弧状のブラシが筒状で円弧状のブラシホルダの両側片部に当たるのを防ぎ、スムーズにブラシを押し出すことができる。
【発明を実施するための最良の形態】
【００１２】
以下、本発明の一実施形態を図面に基づいて説明する。
【００１３】
図１は本発明の一実施形態のモータを示す断面図、図２は同モータに用いられるブラシを収納したブラシホルダの平面図、図３は同ブラシを収納したブラシホルダの正面図、図４は同ブラシホルダの断面図である。
【００１４】
図１に示すように、モータ１０は、内周面１１ａに一対のマグネット１２，１２を固着すると共に、アーマチュア１３のアーマチュア軸１４を回転自在に収納をした金属製で有底円筒状のヨーク１１と、円板状のブラシホルダステー１６と、ブラシホルダステー１６に形成され、アーマチュア軸１４に取り付けられたコンミュテータ１５に臨むように配置された一対の四角筒状で円弧状のブラシホルダ１７，１７と、この各ブラシホルダ１７に出没自在に収納された四角棒状で円弧状のブラシ１８と、この四角棒状で円弧状のブラシ１８の背面１８ｂを押圧付勢して該ブラシ１８の正面１８ａをコンミュテータ１５の複数のコンミュテータ片１５ａに接触させる捩りコイルバネ（バネ部材）１９とを備えている。
【００１５】
図１〜図４に示すように、各ブラシホルダ１７は、天井片部（天井壁）１７ａと両側片部（両側壁部）１７ｂ，１７ｂと底片部（底壁部）１７ｃとで四角筒状で四半円弧状に形成してある。この各ブラシホルダ１７の底片部１７ｃの中央にはＶ字山形で四半円弧状の凸部１７ｄを一体突出形成してある。尚、各ブラシホルダ１７の天井片部１７ａの後縁の中央から前側にかけて円弧状の開口１７ｅを形成してあり、この開口１７ｅよりブラシ１８の上面１８ｅに接続された図示しないピグテールが移動するようになっている。
【００１６】
図１〜図４に示すように、各ブラシ１８は四角棒状で四半円弧状に形成してある。この各ブラシ１８の底面１８ｃの中央には、Ｖ字溝状で四半円弧状の凹部１８ｄを形成してある。そして、この各ブラシ１８のＶ字溝状で四半円弧状の凹部１８ｄは、各ブラシホルダ１７のＶ字山形で四半円弧状の凸部１７ｄに沿って摺動するようになっている。
【００１７】
尚、ヨーク１１の開口部は略円板状のエンドカバーや減速機が収納されたケースで閉塞されている。また、アーマチュア１３は、所定のスロット数のコイル巻回部を持つアーマチュアコアと、このアーマチュアコアのコイル巻回部に巻き回されたアーマチュアコイル（いずれも図示省略）とで構成されている。さらに、コンミュテータ１５はアーマチュア１３のアーマチュアコアのコイル巻回部と同数の複数のコンミュテータ片１５ａを備えている。さらに、ヨーク１１の開口部内には合成樹脂製で略円板状のブラシホルダステー１６を嵌合してある。このブラシホルダステー１６にはコンミュテータ１５が貫通する貫通孔を形成してあり、この貫通孔を挟んで相対向するように一対の四角筒状で四半円弧状のブラシホルダ１７，１７をそれぞれ取り付けてある。また、ブラシホルダステー１６に支軸１９ａを介して捩りコイルバネ１９を取り付けてある。そして、ブラシホルダステー１６は、モータ１０のハウジングとしてのヨーク１１のほかにエンドカバーやケースに取り付けることも可能である。
【００１８】
以上実施形態のモータ１０によれば、四角棒状で四半円弧状のブラシ１８の底面１８ｃの中央にＶ字溝状で四半円弧状の凹部１８ｄを形成し、四角筒状で四半円弧状のブラシホルダ１７の底片部１７ｃの中央にＶ字山形で四半円弧状の凸部１７ｄを一体突出形成し、このブラシホルダ１７のＶ字山形で四半円弧状の凸部１７ｄに沿ってブラシ１８のＶ字溝状で四半円弧状の凹部１８ｄを摺動自在にしたことにより、捩りコイルバネ１９によってブラシ１８の正面１８ａをコンミュテータ１５の複数のコンミュテータ片１５ａに接触させる際に、ブラシホルダ１７のＶ字山形で四半円弧状の凸部１７ｄに沿ってブラシ１８のＶ字溝状で四半円弧状の凹部１８ｄが摺動するため、四角棒状で四半円弧状のブラシ１８が四角筒状で四半円弧状のブラシホルダ１７の両側片部１７ｂ，１７ｂに当たるのを防ぎ、スムーズにブラシ１８を押し出すことができる。そのため、ブラシホルダ１７のガタ付きを防止することができ、ブラシホルダ１７の振動を抑制することができる。
【００１９】
また、ブラシ１８を四角棒状で四半円弧状に形成したことにより、四角棒状で直線状のブラシに比べ、ブラシ長（全長）を同じにしても、四角棒状で四半円弧状のブラシ１８はラジアル方向の長さを短縮することができる。さらに、ブラシホルダ１７を四角筒状で四半円弧状に形成すると共に、ブラシ１８を四角棒状で四半円弧状に形成したことにより、従来の四角筒状でＣ字状のブラシホルダ６に出没自在に収納された四角棒状でＣ字状のブラシ７を用いるモータ１に比べ、モータ１０全体の小型化を図ることができる。
【００２０】
尚、前記実施形態によれば、ブラシをコンミュテータに押圧付勢させるバネ部材として捩りコイルバネを用いたが、コイルスプリング等をバネ部材としても良い。
【図面の簡単な説明】
【００２１】
【図１】本発明の一実施形態のモータを示す断面図である。
【図２】上記モータに用いられるブラシを収納したブラシホルダの平面図である。
【図３】上記ブラシを収納したブラシホルダの正面図である。
【図４】上記ブラシホルダの断面図である。
【図５】従来のモータの断面図である。
【符号の説明】
【００２２】
１０  ブラシ付きモータ
１１  ヨーク（ハウジング）
１１ａ  内周面
１２  マグネット
１３  アーマチュア
１４  アーマチュア軸
１５  コンミュテータ
１６  ブラシホルダステー（ホルダステー）
１７  四角筒状で円弧状のブラシホルダ
１７ｃ  底片部（底壁部）
１７ｄ  Ｖ字山形で円弧状の凸部（円弧状の凸部）
１８  四角棒状で円弧状のブラシ
１８ａ  正面
１８ｂ  背面
１８ｃ  底面
１８ｄ  Ｖ字溝状で円弧状の凹部（円弧状の凹部）
１９  捩りコイルバネ（バネ部材）
【図１】
2010035272.tif 000003
【図２】
2010035272.tif 000004
【図３】
2010035272.tif 000005
【図４】
2010035272.tif 000006
【図５】
2010035272.tif 000007